(57)【要約】【課題】ユーザのその時々の利用態様に応じて柔軟にエラー表示を変更することができる画像形成装置を提供する。【解決手段】  表示形式変更受け付け部２０３は、エラー表示画面に表示中のエラー項目についての表示の形式の設定変更指示を受け付けて（ＡＲ２４）、受け付けた内容をエラー表示テーブルＴ２に反映させる（ＡＥ２５）。エラー表示作成部２０２は、表示形式変更受け付け部２０３によって、発生中エラーの表示の形式が変更された場合（ＡＲ２５）に、変更された形式でエラーを表示し直す。【選択図】図６
2008076487.tif 000002
【特許請求の範囲】
【請求項１】
表示画面上にエラー表示画面を表示してユーザにエラーの発生を報知するエラー報知手段と、
発生したエラーを、各エラー毎に設定された表示形式に従って表示して前記エラー表示画面を作成するエラー表示作成手段と、
前記エラー表示画面に表示されたエラーについて前記表示形式の変更を受け付ける表示形式変更受付手段と、
を備えることを特徴とする画像形成装置。
【請求項２】
表示画面上にエラー表示画面を表示してユーザにエラーの発生を報知するエラー報知手段と、
複数のエラーが発生した場合に、前記複数のエラーのうちから、あらかじめ定められた表示優先順位の高いエラーを順に選択して前記エラー表示画面に表示する表示エラー選択手段と、
前記エラー表示画面に表示されたエラーについて前記表示優先順位の変更を受け付ける表示順位変更受付手段と、
を備えることを特徴とする画像形成装置。
【請求項３】
請求項２に記載の画像形成装置であって、
各エラー毎に前記エラー表示画面に表示する際の表示形式を設定する表示形式設定手段と、
前記エラー表示画面に表示されたエラーについて前記表示形式の変更を受け付ける表示形式受付変更手段と、
を備えることを特徴とする画像形成装置。
【請求項４】
請求項１または３に記載の画像形成装置であって、
特定のエラーについては、前記エラー表示画面に表示されている場合であっても、前記表示形式の変更を禁止する表示形式変更禁止手段、
を備えることを特徴とする画像形成装置。
【請求項５】
請求項２に記載の画像形成装置であって、
特定のエラーについては、前記エラー表示画面に表示されている場合であっても、前記表示順位の変更を禁止する表示順位変更禁止手段、
を備えることを特徴とする画像形成装置。
【請求項６】
請求項１または３に記載の画像形成装置であって、
前記表示形式が、エラーの発生を非表示にする形式を含むことを特徴とする画像形成装置。
【請求項７】
請求項１または３に記載の画像形成装置であって、
前記表示形式が、エラーの発生を所定のマークで表示する形式を含むことを特徴とする画像形成装置。
【請求項８】
請求項７に記載の画像形成装置であって、
前記表示画面がタッチパネルによって構成されており、前記所定のマークが当該マークの形式で表示されているエラーについての前記表示形式の変更を受け付けるキーとして機能することを特徴とする画像形成装置。
【請求項９】
請求項７に記載の画像形成装置であって、
前記表示画面がタッチパネルによって構成されており、前記所定のマークが当該マークの形式で表示されているエラーの内容を表示する画面への移行を受け付けるキーとして機能することを特徴とする画像形成装置。
【請求項１０】
請求項２に記載の画像形成装置であって、
発生した複数のエラーのうちで前記エラー表示画面に表示されないエラーがある場合に、エラー表示画面に所定のマークを表示して当該表示されないエラーの存在をユーザに報知する非表示エラー報知手段、
を備えることを特徴とする画像形成装置。
【請求項１１】
請求項１０に記載の画像形成装置であって、
前記表示画面がタッチパネルによって構成されており、前記所定のマークが前記エラー表示画面に表示されているエラーについての前記表示優先順位の変更を受け付けるキーとして機能することを特徴とする画像形成装置。
【発明の詳細な説明】
【技術分野】
【０００１】
この発明は、表示画面上にエラー通知画面を表示してユーザにエラーの発生を報知する機能を有する画像形成装置に関する。
【背景技術】
【０００２】
ファクシミリ装置、複写機、プリンタ等の各種の画像形成装置には、装置内でエラーが発生した場合に、液晶ディスプレイなどの表示画面上にエラー通知画面を表示する機能を備えるものが多い。ユーザはエラー通知画面を見て装置内にどのようなエラーが発生しているかを知ることができ、エラー状態を解消するための適切な措置を講ずることが可能となる。
【０００３】
ところでこのような構成によると、表示画面に表示可能なエラーの数には限りがあるため、装置内で複数のエラーが発生した場合に画面上に表示されないエラーが出てくる可能性がある。この場合、表示中のエラーを解除しない限り隠されたエラーが表示されないこととなり、ユーザが本来知りたいエラー情報を知ることができないという問題が生じることがあった。
【０００４】
このような問題を解決すべく各種の技術が提案されている。例えば、エラーの表示優先順位をユーザに設定させるとした技術が提案されている（特許文献１参照）。特許文献１には、装置内に発生しうる全エラーについて表示の優先順位をユーザに予め登録させておき、発生中のエラーのうち、ユーザが登録した優先順位が最も高いエラーを表示することが記載されている。この技術によると、ユーザが予め設定した優先順位にしたがってエラーの表示が行われるので、ユーザが知りたいエラーが優先的に表示される確率が高くなる。
【０００５】
また、この他にも、装置を構成するデバイス毎に独立してエラーの表示優先順位を付与する技術や（特許文献２参照）、優先順位にしたがってエラーを２次元的に表示することによってエラーに対する対処方法をユーザに効率的に伝える技術（特許文献３参照）が提案されている。
【０００６】
【特許文献１】特開平５−３０１４２５号公報
【特許文献２】特開２００２−２１５３７６号公報
【特許文献３】特開平９−３００９２号公報
【発明の開示】
【発明が解決しようとする課題】
【０００７】
上述の通り、特許文献１に記載の技術によると、ユーザは、装置内に発生しうる全エラーについて表示の優先順位を予め登録しなければならない。
【０００８】
しかしながら、実際は装置内で発生しうるエラーの全てについて表示の優先度を比較判断することは容易ではない。というのも、装置内でどのようなエラーが同時に発生するかは予測困難である上に、同時に発生した複数のエラーの中でユーザが知りたいエラーがどれであるかは、その時々のユーザの利用態様によって変わってくるからである。このため、ユーザが予め付与した優先順位が常に適切な優先順位であるとはいえず、したがってユーザがその時々で本当に知りたいエラーが表示されるとは限らなかった。
【０００９】
この発明は、このような事情に鑑みてなされたものであって、ユーザのその時々の利用態様に応じて柔軟にエラー表示を変更することができる画像形成装置を提供することを目的としている。
【課題を解決するための手段】
【００１０】
請求項１の発明は、表示画面上にエラー表示画面を表示してユーザにエラーの発生を報知するエラー報知手段と、発生したエラーを、各エラー毎に設定された表示形式に従って表示して前記エラー表示画面を作成するエラー表示作成手段と、前記エラー表示画面に表示されたエラーについて前記表示形式の変更を受け付ける表示形式変更受付手段と、を備える。
【００１１】
請求項２の発明は、表示画面上にエラー表示画面を表示してユーザにエラーの発生を報知するエラー報知手段と、複数のエラーが発生した場合に、前記複数のエラーのうちから、あらかじめ定められた表示優先順位の高いエラーを順に選択して前記エラー表示画面に表示する表示エラー選択手段と、前記エラー表示画面に表示されたエラーについて前記表示優先順位の変更を受け付ける表示順位変更受付手段と、を備える。
【００１２】
請求項３の発明は、請求項２に記載の画像形成装置であって、各エラー毎に前記エラー表示画面に表示する際の表示形式を設定する表示形式設定手段と、前記エラー表示画面に表示されたエラーについて前記表示形式の変更を受け付ける表示形式受付変更手段と、を備える。
【００１３】
請求項４の発明は、請求項１または３に記載の画像形成装置であって、特定のエラーについては、前記エラー表示画面に表示されている場合であっても、前記表示形式の変更を禁止する表示形式変更禁止手段、を備える。
【００１４】
請求項５の発明は、請求項２に記載の画像形成装置であって、特定のエラーについては、前記エラー表示画面に表示されている場合であっても、前記表示順位の変更を禁止する表示順位変更禁止手段、を備える。
【００１５】
請求項６の発明は、請求項１または３に記載の画像形成装置であって、前記表示形式が、エラーの発生を非表示にする形式を含む。
【００１６】
請求項７の発明は、請求項１または３に記載の画像形成装置であって、前記表示形式が、エラーの発生を所定のマークで表示する形式を含む。
【００１７】
請求項８の発明は、請求項７に記載の画像形成装置であって、前記表示画面がタッチパネルによって構成されており、前記所定のマークが当該マークの形式で表示されているエラーについての前記表示形式の変更を受け付けるキーとして機能する。
【００１８】
請求項９の発明は、請求項７に記載の画像形成装置であって、前記表示画面がタッチパネルによって構成されており、前記所定のマークが当該マークの形式で表示されているエラーの内容を表示する画面への移行を受け付けるキーとして機能する。
【００１９】
請求項１０の発明は、請求項２に記載の画像形成装置であって、発生した複数のエラーのうちで前記エラー表示画面に表示されないエラーがある場合に、エラー表示画面に所定のマークを表示して当該表示されないエラーの存在をユーザに報知する非表示エラー報知手段、を備える。
【００２０】
請求項１１の発明は、請求項１０に記載の画像形成装置であって、前記表示画面がタッチパネルによって構成されており、前記所定のマークが前記エラー表示画面に表示されているエラーについての前記表示優先順位の変更を受け付けるキーとして機能する。
【発明の効果】
【００２１】
請求項１、３に記載の発明によれば、エラー表示画面に表示されたエラーの表示形式の変更を受け付けるので、表示対象となるエラーをユーザが所望する表示形式で表示することができる。これによって、ユーザのその時々の利用態様に応じて柔軟にエラー表示を変更することができる。
【００２２】
請求項２に記載の発明によれば、エラー表示画面に表示されたエラーの表示順位の変更を受け付けるので、表示対象となるエラーをユーザが選択することができる。これによって、ユーザのその時々の利用態様に応じて柔軟にエラー表示を変更することができる。
【００２３】
特に、請求項４に記載の発明によれば、特定のエラーについて表示形式の変更を禁止するので、装置の継続動作にかかわるような深刻なエラーがユーザに報知されない危険を回避できる。
【００２４】
特に、請求項５に記載の発明によれば、特定のエラーについて表示順位の変更を禁止するので、装置の継続動作にかかわるような深刻なエラーがユーザに報知されない危険を回避できる。
【００２５】
特に、請求項６に記載の発明によれば、エラーの発生を非表示にする形式に設定できるので、ユーザにとって表示が不要なエラーが表示されることによって、ユーザが本当に知りたいエラーの表示が妨げられることを防ぐことができる。
【００２６】
特に、請求項７に記載の発明によれば、エラーの発生を所定のマークで表示する形式に設定できるので、他の情報の表示を妨げないで、エラーが発生している事実をユーザに知得させることができる。
【００２７】
特に、請求項１０に記載の発明によれば、発生した複数のエラーのうちでエラー表示画面に表示されないエラーがある場合にエラー表示画面に所定のマークを表示するので、表示されないエラーの存在をユーザに報知することができる。
【発明を実施するための最良の形態】
【００２８】
〔１．第１の実施の形態〕
〈１−１．デジタル複合機〉
図１は、この発明の第１の実施の形態に相当する画像形成装置の機能が組み込まれたデジタル複合機１の構成を示すブロック図である。
【００２９】
図１を参照する。このデジタル複合機１は、ＦＡＸ機能、コピー機能、スキャン機能、プリント機能などの複数の機能を有する複合機（ＭＦＰ装置）として構成されている。
【００３０】
このデジタル複合機１は、制御部１１と、ＲＯＭ１２と、ＲＡＭ１３と、フラッシュメモリ１４と、操作部１５と、表示部１６と、画像処理部１７と、画像読取部１８と、画像記録部１９と、画像メモリ２０と、大容量蓄積部２１と、通信関係の機能部２２〜２５とを、バスライン２６を介して電気的に接続した構成となっている。
【００３１】
制御部１１は、ＣＰＵで構成されている。制御部１１は、ＲＯＭ１２に記憶されたプログラムに基づいて上記のハードウエア各部を制御し、デジタル複合機１の機能を実現する。
【００３２】
ＲＯＭ１２は、デジタル複合機１の制御に必要なプログラムやデータを予め格納した読み出し専用の記憶装置である。
【００３３】
ＲＡＭ１３は、読み出しと書き込みとが可能な記憶装置であり、画像データ、ＦＡＸ番号、メールアドレスなどの一時的に蓄積される諸データや、制御部１１による演算処理の際に発生するデータなどを一時的に記憶する。ＲＡＭ１３はＳＲＡＭなどで構成される。
【００３４】
フラッシュメモリ１４は、記憶内容を書き換え可能な不揮発性メモリであり、継続的に保持すべき各種の情報を記憶する。フラッシュメモリ１４は、エラー表示テーブルＴ１を格納する。エラー表示テーブルＴ１については後に説明する。
【００３５】
操作部１５は、文字キー、テンキー、ファンクションキーなどの各種キーによって構成され、コマンドやテキストデータの入力といったユーザ操作を受け付ける。操作部１５が受けたユーザ操作は信号として制御部１１に入力される。制御部１１はユーザ操作に基づいて各部の動作を制御する。
【００３６】
表示部１６は、デジタル複合機１の動作状態や、画像データなどを表示する表示装置であり、液晶ディスプレイなどの表示装置により構成される。また、表示部１６は、デジタル複合機１にエラーが発生した場合に、エラー発生をユーザに報知するためのエラー表示画面Ｅを表示する（図５参照）。なお、操作部１５に設けられる各種のキーは、この表示部１６のディスプレイ画面上に設けたタッチパネルによって実現されてもよい。
【００３７】
画像処理部１７は、受信された画像データや、画像読取部１８から取得した画像データにＡ／Ｄ変換、表色系の変換、色調整、画像の合成などの種々の処理を行う処理部である。
【００３８】
画像読取部１８は、原稿上の画像をＣＣＤラインセンサなどの読取素子によって読み取るスキャナーである。画像読取部１８は、ガラス台上に載置された原稿の表面を読取素子が走査して画像を読み取るタイプのスキャナーであってもよく、原稿の載置台（図示省略）に載置された原稿を、ＡＤＦ（Auto Document Feeder）によって搬送し、搬送される原稿の表面を静止した読取素子によって走査して画像を読み取るタイプのスキャナーであってもよい。
【００３９】
画像記録部１９は、画像メモリ２０に格納された画像データなどを記録紙上へ記録するプリンタである。画像記録部１９には、例えば、電子写真方式のプリンタを採用することができる。
【００４０】
画像メモリ２０は、ＬＡＮＩ／Ｆ２４やＮＣＵ２５を通じて外部装置２９，３２，３４から受信した画像データ、画像読取部１８において取得された画像データ、画像処理部１７において処理された画像データなどを、一時的に記憶するための記憶装置である。画像メモリ２０は、読み出しと書き込みとが可能なＤＲＡＭ等のメモリにより構成される。
【００４１】
大容量蓄積部２１は、ハードディスクなどにより構成される。大容量蓄積部２１は、画像読取部１８により処理された画像データを蓄積することができる。
【００４２】
さらにこのデジタル複合機１には、通信関係の機能部として、画像データ等を複数のプロトコルに対応して符号化/復号化するコーデック（ＣＯＤＥＣ）２２と、送受信データの変調および復調を行うモデム２３と、ＬＡＮ（ローカルエリアネットワーク）２７とのインターフェイスに相当するＬＡＮＩ／Ｆ２４と、電話回線の開閉制御を行うＮＣＵ２５とが、バスライン２６を介して電気的に接続した構成となっている。
【００４３】
次に、このデジタル複合機１の通信環境について説明する。デジタル複合機１は、ＬＡＮ２７と接続されている。ＬＡＮ２７にはメールサーバ２８や外部端末２９などが接続されている。また、ＬＡＮ２７は、ルータ３０などを介してインターネット２７に接続されている。このような構成によって、デジタル複合機１は、ＬＡＮ２７を介して接続された外部端末２９や、インターネット３１を介して接続された外部端末３２と電子メール通信などを行うことができる。さらに、デジタル複合機１は、アナログ回線用のデータ通信ネットワークであるＰＳＴＮ（公衆交換電話網）３３と接続されている。これによって、デジタル複合機１はＰＳＴＮ３３を介して接続された外部端末３４との通信を行うことができる。外部端末２９，３２，３４は、モデム接続されたパソコン、デジタル複合機１と同様の装置、固定電話、携帯電話、ＦＡＸ専用機、等である。
【００４４】
〈１−２．エラー表示〉
デジタル複合機１は、装置内でエラーが発生した場合に、エラー通知画面Ｅ（図５参照）を作成して表示部１６に表示して、ユーザにエラーの発生を報知する。以下においては、デジタル複合機１におけるエラー表示について図２を参照しながら説明する。
【００４５】
〈エラー表示に関する構成〉
図２は、エラー表示に関する構成を説明するブロック図である。デジタル複合機１は、エラー表示に関する構成として、エラー検出部１０１と、エラー表示作成部１０２と、表示順位変更受け付け部１０３とを有している。これら各部は、制御部１１がプログラムを実行することにより実現される構成要素である。
【００４６】
エラー検出部１０１は、デジタル複合機１において発生したエラーを検出する機能部である。エラー検出部１０１は、エラーを検出すると、エラー表示作成部１０２に対してエラー表示画面Ｅの作成指示を与える（ＡＲ１）。
【００４７】
エラー表示作成部１０２は、エラー表示画面Ｅの作成指示をエラー検出部１０１より受けた場合に、エラー表示テーブルＴ１を参照して（ＡＲ２）発生中のエラーのうちで表示の優先順位の高いエラーを選択して、エラー表示画面Ｅに表示する（ＡＲ３）処理部である。より具体的には、検出されたエラーから表示の優先順位の高い順に所定数個のエラーを選択して、エラー表示画面Ｅに表示する。ただし、所定数とはエラー表示画面Ｅに表示可能なエラーの総数であり、この実施の形態においては１個である。また、表示順位変更受け付け部１０３表示によって、発生中エラーの表示の優先順位が変更された場合（ＡＲ５）に、変更された表示の優先順位にしたがって再度エラーを選択して、エラー表示画面Ｅに表示する。すなわち、エラー表示画面Ｅの表示を変更する。
【００４８】
表示順位変更受け付け部１０３は、ユーザが操作部１５を介して行った、エラー表示画面Ｅに表示中のエラー項目についての表示の優先順位を下げる指示を受け付けて（ＡＲ４）、受け付けた内容をエラー表示テーブルＴ１に反映させる（ＡＥ５）処理部である。
【００４９】
エラー表示テーブルＴ１は、フラッシュメモリ１４に格納されたテーブルであり、その構成例が図４に示されている。エラー表示テーブルＴ１には、デジタル複合機１において発生しうるエラーの項目１，２，・・２０と対応付けて、エラー内容Ｍと、表示順位Ｎとが格納されている。なお、この実施の形態においては、デジタル複合機１において発生しうるエラー項目の総数は２０であるとするが、エラー項目の総数はいくつであっても構わない。
【００５０】
表示順位Ｎは、各エラー項目をエラー表示画面Ｅに表示する優先順位である。エラー表示画面Ｅに表示可能なエラーの個数がｎ個（この実施の形態においては１個）である場合においてエラー検出部１０１がｎ個以上のエラーの発生を検出した場合、エラー表示作成部１０２が、発生したエラーの表示順位Ｎの昇順に（すなわち優先順位の高いエラー項目から順に）、ｎ個のエラーを選択して、エラー表示画面に表示する。
【００５１】
〈エラー表示に関する処理動作〉
次に、エラー表示に関する処理を図３のフローチャートを参照しながら説明する。ただし、特に記載のない場合、以下の動作は制御部１１の制御下で行われる。
【００５２】
デジタル複合機１において何らかのエラーが発生したことがエラー検出部１０１によって検出された場合（ステップＳ１）、エラー検出部１０１は、エラー表示作成部１０２に対してエラー表示画面Ｅ（図５参照）の作成指示を与える（ステップＳ２）。
【００５３】
続いて、エラー表示作成部１０２が、発生中のエラーのうちエラー表示画面Ｅに表示するエラーを所定数だけ選択して、エラー表示画面Ｅに表示する（ステップＳ３）。より具体的には、エラー表示テーブルＴ１を参照して、発生中のエラー項目のうち、表示順位Ｎの高いエラー項目から順にエラー表示画面Ｅに表示するエラーとして選択する。例えば、図４に示すエラー表示テーブルＴ１が作成されている場合に、エラー検出部１０１が、「ＬＡＮケーブル非接続（エラー項目１）」と、「カセットに紙がない（エラー項目４）」とを検出した場合、エラー表示作成部１０２は２つのエラー項目１，４のうち表示順位Ｎの高い方のエラー項目１を、エラー表示画面Ｅに表示するエラーとして選択する。この場合、図５（ａ）に示すように、エラー項目１が表示されたエラー表示画面Ｅが表示部１６に表示されることになる。
【００５４】
エラー表示画面Ｅが表示部１６に表示されると、エラー表示画面Ｅに表示中のエラー項目についての表示順位Ｎを下げる指示を受付可能な状態となる（ステップＳ４）。なおここで、エラー表示画面Ｅに表示されずに隠された状態となっているエラーが存在する場合には、エラー表示作成部１０２が、当該隠されたエラーの存在をユーザに知得させるためのマークＲ（図５参照）（もしくはメッセージ）をエラー表示画面Ｅに表示する。ただし、ここでいう「マーク」とは、より具体的には、アイコンやシンボル等である。
【００５５】
ユーザが操作部１５を介して表示順位Ｎを下げる指示を入力した場合、表示順位変更受け付け部１０３が、当該指示を受け付けて、表示中のエラー項目についての表示順位Ｎを最下位まで下げるとともに、当該表示中のエラー項目より表示順位Ｎが下位のエラー項目についての表示順位Ｎを１つづつ繰り上げる（ステップＳ５）。
【００５６】
例えば、エラー項目１がメッセージ表示されたエラー表示画面Ｅが表示部１６に表示されている場合に表示順位変更受け付け部１０３が当該表示中のエラー項目の表示順位Ｎを下げる指示を受け付た場合、エラー項目１の表示順位Ｎが「１」から「２０」に下げられる。この場合、図４（ａ）に示したエラー表示テーブルＴ１が図４（ｂ）に示す状態に更新されることになる。
【００５７】
ステップＳ５の処理が行われた場合、再びステップＳ３の処理に戻る。ここでは、エラー表示作成部１０２が、変更された表示順位Ｎにしたがって再度エラーを選択して、エラー表示画面Ｅに表示する（ステップＳ３）。
【００５８】
例えば、図４（ａ）に示すエラー表示テーブルＴ１が図４（ｂ）に示す状態に更新された場合、エラー表示作成部１０２は発生中の２つのエラー項目１，４のうち表示順位Ｎの高い方のエラー項目４を、エラー表示画面Ｅに表示するエラーとして選択する。この場合、図５（ａ）に示すエラー表示画面Ｅに変えて、図５（ｂ）に示すようにエラー項目４が表示されたエラー表示画面Ｅが表示部１６に表示されることになる。
【００５９】
〈１−３．効果〉
この実施の形態によると、表示中のエラーについてその表示の優先順位（表示順位Ｎ）を下げることができる。すなわち、表示中のエラーのうち、今の時点では表示不要なエラー（例えば、ユーザがその時点で利用していない機能に関するエラー）の表示の優先順位を下げることによって、エラー表示画面Ｅに表示されずに隠された状態となっていたエラーをエラー表示画面Ｅに表示させることができる。つまり、ユーザにとって、今の時点において表示不要なエラーに変えて、知るべきエラーを表示させることができる。
【００６０】
〔２．第２の実施の形態〕
続いて、第２の実施の形態について説明する。なお、第２の実施の形態に相当する画像形成装置の機能が組み込まれたデジタル複合機は、第１の実施の形態に係るデジタル複合機１と同じ構成を有しているのでその説明を省略する。また、以下において、第２の実施の形態に係るデジタル複合機の各機能構成を示す場合に、図１の参照符号を用いることにする。
【００６１】
〈２−１．エラー表示〉
第２の実施の形態に係るデジタル複合機は、第１の実施の形態に係るデジタル複合機１と同様で、装置内でエラーが発生した場合に、エラー通知画面Ｅ（図９参照）を作成して表示部１６に表示して、ユーザにエラーの発生を報知する。以下においては、第２の実施の形態に係るデジタル複合機におけるエラー表示について図６を参照しながら説明する。
【００６２】
〈エラー表示に関する構成〉
図６は、エラー表示に関する構成を説明するブロック図である。第２の実施の形態に係るデジタル複合機は、エラー表示に関する構成として、エラー検出部２０１と、エラー表示作成部２０２と、表示順位変更受け付け部２０３とを有している。これら各部は、制御部１１がプログラムを実行することにより実現される構成要素である。
【００６３】
エラー検出部２０１は、エラー検出部１０１と同じ機能部である。
【００６４】
エラー表示作成部２０２は、エラー表示画面Ｅの作成指示をエラー検出部２０１より受けた場合（ＡＲ２１）に、エラー表示テーブルＴ２を参照して（ＡＲ２２）表示すべきエラーの表示の形式を決定して、当該表示の形式でエラー表示画面Ｅにエラーを表示する（ＡＲ２３）処理部である。また、表示形式変更受け付け部２０３によって、発生中エラーの表示の形式が変更された場合（ＡＲ２５）に、変更された形式でエラーを表示し直す。
【００６５】
表示形式変更受け付け部２０３は、ユーザが操作部１５を介して行った、エラー表示画面Ｅに表示中のエラー項目についての表示の形式の設定変更指示を受け付けて（ＡＲ２４）、受け付けた内容をエラー表示テーブルＴ２に反映させる（ＡＥ２５）処理部である。
【００６６】
エラー表示テーブルＴ２は、フラッシュメモリ１４に格納されたテーブルであり、その構成例が図８に示されている。エラー表示テーブルＴ２には、デジタル複合機１において発生しうるエラー項目１，２，・・２０と対応付けて、エラー内容Ｍと、表示順位Ｎと、表示形式Ｆとが格納されている。
【００６７】
表示順位Ｎは、各エラー項目をエラー表示画面Ｅに表示する優先順位である。
【００６８】
表示形式Ｆは、各エラー項目をエラー表示画面Ｅに表示する際の表示の形式である。ただし、本明細書においては、「表示の形式」には、表示を行わない態様、すなわち「非表示」を含むものとし、この実施の形態においては、表示形式Ｆとして、「メッセージ表示」、「マーク表示」、「非表示」が選択可能とする。「メッセージ表示」は、エラーの内容を示すメッセージによる表示形式である。「マーク表示」は、所定のマークによる表示形式である。「非表示」は、当該エラー項目については表示を行わないという選択肢である。いうなれば、「非表示」とは、空のデータによる表示形式である。
【００６９】
〈エラー表示に関する処理動作〉
次に、エラー表示に関する処理を図７のフローチャートを参照しながら説明する。ただし、特に記載のない場合、以下の動作は制御部１１の制御下で行われる。
【００７０】
デジタル複合機１において何らかのエラーが発生したことがエラー検出部２０１によって検出された場合（ステップＳ１１）、エラー検出部２０１は、エラー表示作成部２０２に対してエラー表示画面Ｅの作成指示を与える（ステップＳ１２）。
【００７１】
続いて、エラー表示作成部２０２が、発生中のエラーのうち表示形式Ｆが「メッセージ表示」に設定されているものの中から、エラー表示画面Ｅに表示するエラーを所定数だけ選択して、エラー表示画面Ｅにメッセージの形式で表示する（ステップＳ１３）。より具体的には、エラー表示テーブルＴ２を参照して、発生中のエラー項目において表示形式Ｆが「メッセージ表示」に設定されているもののうち、表示順位Ｎの高い順に所定数個のエラーを選択して、エラー表示画面Ｅにメッセージに形式で表示する。ただし、所定数とはエラー表示画面Ｅにメッセージ表示可能なエラーの個数であり、この実施の形態においては１個である。
【００７２】
続いて、エラー表示作成部２０２が、発生中のエラーのうち表示形式Ｆが「マーク表示」に設定されているものを、エラー表示画面Ｅに所定のマークの形式で表示する（ステップＳ１４）。なお、この実施の形態においては、発生中のエラーの中に、表示形式Ｆが「マーク表示」に設定されているエラーが複数ある場合には、当該エラーの数に対応して複数個のマークを表示するとするが、当該エラーの数に拘わらずマークを１つだけ表示する構成としてもよい。
【００７３】
なお、表示形式Ｆが「非表示」に設定されているエラーがエラー検出部２０１に検出された場合であっても、エラー表示作成部２０２は、当該エラーについては、エラー表示画面Ｅに表示しない。
【００７４】
例えば、図８に示すエラー表示テーブルＴ２が作成されている場合に、エラー検出部２０１が、「ＬＡＮケーブル非接続（エラー項目１）」と、「カセットに紙がない（エラー項目４）」と、「トナーがない（エラー項目５）」とを検出した場合、エラー表示作成部２０２は検出された３つのエラー項目１，４，５のうち表示形式Ｆが「メッセージ表示」に設定されている中で最も表示順位Ｎの高いエラー項目５を、エラー表示画面Ｅにメッセージの形式で表示する。エラー表示作成部２０２はさらに、検出された３つのエラー項目１，４，５のうち表示形式Ｆが「マーク表示」に設定されているエラー項目４を、エラー表示画面ＥにマークＱの形式で表示する。なお、検出された３つのエラー項目１，４，５のうち表示形式Ｆが「非表示」に設定されているエラー項目１は、エラー表示画面Ｅに表示しない。この場合、図９（ａ）に示すように、エラー項目５がメッセージ表示されるとともにエラー項目４がマーク表示されたエラー表示画面Ｅが表示部１６に表示されることになる。
【００７５】
エラー表示画面Ｅが表示部１６に表示されると、エラー表示画面Ｅに表示中のエラー項目についての表示形式Ｆの設定変更指示を受付可能な状態となる（ステップＳ１５）。なお、ここでいう「エラー表示画面Ｅに表示中のエラー項目」には、メッセージで表示されたエラー項目とマークで表示されたエラー項目との両方のエラー項目を含む。また、発生中のエラーの中に表示形式Ｆが「非表示」に設定されたエラーがある場合には、当該非表示中のエラー項目についても表示形式Ｆの設定変更指示を受け付け可能としてもよい。この場合、非表示中のエラーが存在することをユーザに知得させるためのマークやメッセージをエラー表示画面Ｅに表示することが望ましい。
【００７６】
ユーザが操作部１５を介して表示形式Ｆの設定変更指示を入力した場合、表示形式変更受け付け部２０３が、当該指示を受け付けて、表示中のエラー項目についての表示形式Ｆを変更する。例えば、エラー項目５がメッセージ表示されたエラー表示画面Ｅが表示部１６に表示されている場合に表示形式変更受け付け部２０３がエラー項目５の表示形式Ｆを「メッセージ表示」から「マーク表示」に変更する指示を受け付けた場合、図８（ａ）に示したエラー表示テーブルＴ２が図８（ｂ）に示す状態に更新されることになる。
【００７７】
ステップＳ１６の処理が行われた場合、再びステップＳ１３，Ｓ１４の処理に戻る。ここでは、エラー表示作成部２０２が、変更された表示形式Ｆにしたがって再度エラーを所定の表示形式でエラー表示画面Ｅに表示する（ステップＳ１３，Ｓ１４）。
【００７８】
例えば、図８（ａ）に示すエラー表示テーブルＴ２が図８（ｂ）に示す状態に更新された場合、発生中の３つのエラー項目１，４，５のうち表示形式Ｆが「メッセージ表示」に設定されているエラー項目がないので、メッセージによるエラー表示は行われない。エラー表示作成部２０２は、検出された３つのエラー項目１，４，５のうち表示形式Ｆが「マーク表示」に設定されているエラー項目４，５を、エラー表示画面ＥにマークＱの形式で表示する。この場合、図９（ａ）に示すエラー表示画面Ｅに変えて、図９（ｂ）に示すエラー表示画面Ｅが表示部１６に表示されることになる。
【００７９】
〈２−２．効果〉
この実施の形態によると、表示中のエラーについてその表示の形式（表示形式Ｆ）を設定変更することができる。すなわち、表示中のエラーのうち、今の時点ではメッセージ表示が不要なエラー（例えば、ユーザがその時点で利用していない機能に関するエラー）をマーク表示にしておくことによって、エラーが発生している事実についてはユーザに示唆しつつ、表示画面には他の情報を表示させることができる。また、必要な際にマーク表示されているエラーをメッセージ表示に復元することによって、発生中のエラーに対して適切な措置を講じることができる。
【００８０】
〔３．変形例〕
〈変形例１〉
第１の実施においてはエラー表示画面Ｅに表示中のエラー項目について表示順位Ｎの変更を受け付ける構成とし、第２の実施においてはエラー表示画面Ｅに表示中のエラー項目について表示形式Ｆの変更を受け付ける構成としていたが、エラー表示画面Ｅに表示中のエラー項目について表示順位Ｎと表示形式Ｆの両方の変更を受け付ける構成としてもよい。
【００８１】
この場合例えば、エラー表示に関する構成として図１０に例示する構成を設ければよい。すなわち、第２の実施の形態に係るデジタル複合機が有する各構成要素（エラー検出部２０１、エラー表示作成部２０２、表示形式変更受け付け部２０３）に、さらに第１の実施の形態に欠かすデジタル複合機１が有する表示順位変更受け付け部１０３を備える構成とすればよい。
【００８２】
この変形例によると、表示中のエラーについて表示順位Ｎと表示形式Ｆとの両方を変更できるので、ユーザはより柔軟なエラー表示設定を行うことが可能となり、必要とするエラー情報を必要な表示形式で表示画面に表示することが可能となる。
【００８３】
〈変形例２〉
また、上記の各実施の形態においては、エラー表示画面Ｅに表示中のエラー項目であれば、いかなるエラー項目であろうと表示順位Ｎや表示形式Ｆを変更可能としていたが、特定のエラー（例えば、装置の継続動作が不可能となるような深刻なエラー）については、エラー表示画面Ｅに表示中であったとしても表示順位Ｎを下げたり、表示形式Ｆをメッセージ表示以外に設定することができないとしてもよい。すなわち、表示順位変更受け付け部１０３が、予め規定された特定のエラーについては表示順位Ｎを下げる指示の受付を拒否する構成としてもよい。また、表示形式変更受け付け部２０３が、予め規定された特定のエラーについては表示形式Ｆの変更指示の受付を拒否する構成としてもよい。
【００８４】
この変形例によると、装置の継続動作に拘わるような深刻なエラーがユーザに報知されない危険を回避できる。
【００８５】
〈変形例３〉
また、表示部１６をタッチパネルによって実現し、エラー表示画面Ｅに表示されたマークＲやマークＱを各種のユーザ操作を受け付けるキーとして機能させてもよい。
【００８６】
例えば第１の実施の形態において説明したマークＲ（すなわち、隠されたエラーの存在をユーザに知得させるためのマークＲ（図５））の部分を、表示順位Ｎを下げる指示を受け付けるキーとして機能させてもよい。すなわち、ユーザがマークＲに触れると、表示順位Ｎを下げる指示受け付けたものとしてもよい。もしくは、表示順位Ｎを下げる指示を受け付ける画面Ｋ（図１１（ａ））に移行するとしてもよい。
【００８７】
また例えば第２の実施の形態において説明したマークＱ（すなわち、「マーク表示」に設定されたエラー項目を表示するためのマークＱ（図９））の部分を、表示形式Ｆの設定変更指示を受け付けるキーとして機能させてもよい。すなわち、ユーザがマークＱに触れると、当該マークＱによって表示されているエラー項目の表示形式Ｆの設定を変更する画面Ｌ（図１１（ｂ））に移行するとしてもよい。
【００８８】
また例えばマークＱの部分を、当該マークが示すエラー項目をメッセージ表示するための復元キーとして機能させてもよい。すなわち、ユーザがマークＱに触れると、当該マークＱによって表示されているエラー項目の内容をメッセージ表示する画面Ｍ（図１１（ｃ））に移行するとしてもよい。
【００８９】
〈変形例４〉
また、第１の実施の形態においては、ユーザが表示順位Ｎを下げる指示を行った場合、表示中のエラー項目についての表示順位Ｎを最下位まで下げるとしたが、必ずしも最下位まで順位を下げる必要はない。例えば、現在発生中のエラーのうちで最も表示順位Ｎが低いエラーの表示順位Ｎの１つ下位まで下げる構成としてもよいし、予め設定された所定の数だけ順位を下げる構成としてもよい。
【００９０】
〈変形例５〉
また、第２の実施の形態においては、表示形式Ｆが「マーク表示」に設定された場合、エラー項目に拘わらず常に同じマークＱを表示していたが、エラー項目毎に個別のマークを予め登録しておいてもよい。この場合、発生したエラーの内容を示唆できるようなマークを登録してもよいし、ＦＡＸ機能に関連したエラーの場合にはＦＡＸを示唆するマークを登録しておくといったように当該エラーの関連する機能を示唆できるようなマークを登録しておいてもよい。
【００９１】
〈変形例６〉
また、第２の実施の形態においては、表示形式Ｆとして「メッセージ表示」「マーク表示」「非表示」の３つの表示形式が選択可能としたが、「メッセージ表示」か「非表示」かのいずれかを選択可能としてもよい。なお、この場合、表示形式Ｆが「非表示」に設定したエラーが発生した場合には、所定のマークをエラー表示画面Ｅに表示する構成を設けることが望ましい。
【００９２】
また逆に、表示形式Ｆとして、さらに他の選択肢を設けてもよい。例えば、「メッセージ表示」を行う場合にメッセージを表示する位置を選択可能としてもよいし、「マーク表示」において表示するマークを各種選択可能としてもよい。
【００９３】
〈変形例７〉
なお、上記の各実施の形態においては、エラー表示画面Ｅに表示可能なエラーの総数は１個であったが、エラー表示画面Ｅに複数個のエラーが表示される構成としてもよい。この場合、表示されたエラーについて表示形式Ｆの変更指示や表示順位Ｎを下げる指示を受け付ける際には、ユーザに表示中のエラーのうちから所望のエラーを特定させた上で、これらの指示を受け付ける構成とする。
【図面の簡単な説明】
【００９４】
【図１】この実施の形態に係るデジタル複合機の構成を示すブロック図である。
【図２】エラー表示に関する構成を説明するブロック図である。
【図３】エラー表示に関する処理動作を示すフローチャートである。
【図４】エラー表示テーブルの構成例を示す図である。
【図５】エラー表示画面の構成例を示す図である。
【図６】エラー表示に関する構成を説明するブロック図である。
【図７】エラー表示に関する処理動作を示すフローチャートである。
【図８】エラー表示テーブルの構成例を示す図である。
【図９】エラー表示画面の構成例を示す図である。
【図１０】エラー表示に関する構成を説明するブロック図である。
【図１１】各種の画面構成を示す図である。
【符号の説明】
【００９５】
１  デジタル複合機
１０１，２０１  エラー検出部
１０２，２０２  エラー表示作成部
１０３  表示順位変更受け付け部
２０３  表示形式変更受け付け部
Ｔ１，Ｔ２  エラー表示テーブル
【図１】
2008076487.tif 000003
【図２】
2008076487.tif 000004
【図３】
2008076487.tif 000005
【図４】
2008076487.tif 000006
【図５】
2008076487.tif 000007
【図６】
2008076487.tif 000008
【図７】
2008076487.tif 000009
【図８】
2008076487.tif 000010
【図９】
2008076487.tif 000011
【図１０】
2008076487.tif 000012
【図１１】
2008076487.tif 000013